(57)【要約】【課題】付加的な機能を備えたプロテクタを提供する。【解決手段】プロテクタＰでは、保護部材７にゲルマニウム８を含ませ、この保護部材７を着用者１０の肌に密着させることにより、着用者１０の身体の保護機能のみならず、ゲルマニウム８の遠赤外効果による保温機能を発揮させる。さらには、ゲルマニウム８による消臭機能、抗菌機能を発揮させる。このように、身体の保護機能に加えて保温、消臭、抗菌といった付加的な機能を備えたプロテクタＰを実現する。【選択図】図４
2012177211.tif 000002
【特許請求の範囲】
【請求項１】
着用者の身体を保護するためのプロテクタであって、
炭素繊維を有する保護部材を備え、
前記保護部材にゲルマニウムを含ませ又は付着させたことを特徴とする、
プロテクタ。
【請求項２】
前記ゲルマニウムは、前記炭素繊維に接触している請求項１記載のプロテクタ。
【請求項３】
前記炭素繊維に電流を供給する電流供給手段を備える請求項２記載のプロテクタ。
【発明の詳細な説明】
【技術分野】
【０００１】
本発明は、着用者の身体を保護するためのプロテクタに関する。
【背景技術】
【０００２】
従来、下記特許文献に記載されるように、高強度繊維の繊維強化樹脂からなる防護板を衣服に取り付けたプロテクタや、高強度繊維の積層体と金属メッシュ層とを積層させたプロテクタが知られている。これらのプロテクタは、例えば防弾性や防刃性を有しており、着用者の身体を保護する。
【先行技術文献】
【特許文献】
【０００３】
【特許文献１】特開２００２−３７１４０８号公報
【特許文献２】特開２００４−２４５５１０号公報
【発明の概要】
【発明が解決しようとする課題】
【０００４】
しかしながら、上記した従来のプロテクタは、身体を保護するという基本的な機能を有するものの、その他の付加的な機能は特に備えていない。近年、プロテクタの分野においては、身体の保護機能に加えて付加的な機能が要求されている。
【０００５】
そこで本発明は、付加的な機能を備えたプロテクタを提供することを目的とする。
【課題を解決するための手段】
【０００６】
本発明に係るプロテクタは、着用者の身体を保護するためのプロテクタであって、炭素繊維を有する保護部材を備え、保護部材にゲルマニウムを含ませ又は付着させたことを特徴とする。
【０００７】
本発明に係るプロテクタによれば、保護部材にゲルマニウムを含ませ又は付着させているので、この保護部材を着用者の肌に密着させることにより、着用者の身体の保護機能のみならず、ゲルマニウムによる保温機能が得られる。さらには、ゲルマニウムによる消臭機能、抗菌機能も得られる。このように、身体の保護機能に加えて付加的な機能を備えたプロテクタを実現できる。
【０００８】
ここで、ゲルマニウムは、炭素繊維に接触していると、炭素繊維に電流を流すことにより炭素繊維の温度を上げ、その温度を直接ゲルマニウムに伝えることができる。これにより、ゲルマニウムに強い遠赤外線を発生させ、保温効果を高めることができる。
【０００９】
また、上記作用をより効果的に奏する構成としては、具体的には、炭素繊維に電流を供給する電流供給手段を備える構成が挙げられる。
【発明の効果】
【００１０】
本発明によれば、付加的な機能を備えたプロテクタを実現できる。
【図面の簡単な説明】
【００１１】
【図１】本発明の第１実施形態に係るプロテクタの着用状態を示す図である。
【図２】図１のプロテクタの着用状態を背面側から見た図である。
【図３】（ａ）はプロテクタの変形部の外観を示す図、（ｂ）は変形部の断面構造を示す図である。
【図４】（ａ）は図１のプロテクタの構造を示す図、（ｂ）はプロテクタの他の構造を示す図である。
【図５】（ａ）は図１のプロテクタにおける保護部材の構造を示す図、（ｂ）は保護部材の他の構造を示す図である。
【図６】第２実施形態に係るプロテクタの着用状態を示す図である。
【図７】第３実施形態に係るプロテクタの着用状態を示す図である。
【図８】第４実施形態に係るプロテクタの着用状態を示す図である。
【発明を実施するための形態】
【００１２】
以下、本発明に係るプロテクタの実施形態について、図面を参照しながら説明する。なお、図面の説明において同一要素には同一符号を付し、重複する説明は省略する。
【００１３】
図１に示すように、プロテクタＰは、着用者１０の身体を保護するためのものである。着用者１０としては、自衛官、警察官、消防士といった危険の伴う職種に携わる人が挙げられる。また、この他にも着用者１０として、車両（四輪車および二輪車を含む）のドライバ、車両の乗員、スポーツ選手、登山者、ダイバーなどが挙げられる。
【００１４】
プロテクタＰは、胴部保護用プロテクタ１、腕部保護用プロテクタ２、及び脚部保護用プロテクタ３を備えている。胴部保護用プロテクタ１は、着用者１０の胸、首、腹、背、及び腰などを保護する（図２も参照）。腕部保護用プロテクタ２は、着用者１０の肩、上腕、肘、前腕などを保護する。脚部保護用プロテクタ３は、着用者１０の膝および脛などを保護する。
【００１５】
胴部保護用プロテクタ１、腕部保護用プロテクタ２、及び脚部保護用プロテクタ３は、厚みが１〜１０ｍｍの炭素繊維強化樹脂（ＣＦＲＰ；Carbon  Fiber  Reinforced  Plastics）製の板材から成っている。各プロテクタ１〜３は、保護すべき部位に沿う形状に成形されている。各プロテクタ１〜３は、例えば薄いメッシュ地から成るインナスーツ４に縫い付けられている。着用者１０がこのインナスーツ４を着ることにより、各プロテクタ１〜３が各部位に装着されるようになっている。各プロテクタ１〜３は、メッシュ地のインナスーツ４を介して着用者１０の肌に密着する。
【００１６】
図３（ａ）に示すように、胴部保護用プロテクタ１のうち腹および腰に密着する部分は、身体の収縮や屈曲に応じて変形可能な変形部２０になっている。より具体的には、変形部２０は、円筒状の第１部材２１、第２部材２２、及び第３部材２３が上下方向に連結された構造になっている。第１部材２１、第２部材２２、及び第３部材２３は、背面の連結部２４で連結されている。第１部材２１の外径は第２部材２２の内径よりも小さく、第２部材２２の外径は第３部材２３の内径よりも小さい。第１部材２１と第２部材２２、及び第２部材２２と第３部材２３は、重なり部分Ａ，Ｂでそれぞれ重なっている（図３（ｂ）参照）。連結部２４は、第１部材２１と第２部材２２、及び第２部材２２と第３部材２３の境界の位置において、他の部分よりも肉厚が薄くされた極薄部２５を有している。極薄部２５の厚みは、０．１〜２ｍｍになっている。着用者１０の身体の収縮や屈曲に応じて、この極薄部２５が変形すると共に、重なり部分Ａ，Ｂでの重なり具合が変化する。
【００１７】
図４（ａ）に示すように、各プロテクタ１〜３は、炭素繊維強化樹脂製の板材である保護部材７内にゲルマニウム８を含ませた構造になっている。着用者１０の身体のうち重要な部位を保護する板材は、他の部位を保護する板材よりも厚くなっている。保護部材７内に含まれるゲルマニウム８は、単体のゲルマニウムであってもよいし、酸化ゲルマニウムの粉末であってもよい。ゲルマニウム８は、後述する炭素繊維１２（図５（ａ）参照）に含まれている。
【００１８】
さらに、プロテクタＰは、各プロテクタ１〜３に電流を供給するための電流供給装置９を備えている。電流供給装置９は、例えば、電源としてのバッテリ、電流の供給を制御する制御部、着用者１０によって操作される操作部などを備えている。電流供給装置９は、配線９ａによって保護部材７の炭素繊維１２（図５（ａ）参照）に接続されている。電流供給装置９は、炭素繊維１２に電流を供給する。なお、図１では電流供給装置９の図示は省略されているが、電流供給装置９は、例えば胴部保護用プロテクタ１の一部分に装着される。
【００１９】
図５（ａ）に示すように、保護部材７は、樹脂１１内に炭素繊維１２を配置した構造になっている。ここで、炭素繊維１２は、図４（ａ）に示すゲルマニウム８を含有している。炭素繊維１２は、ゲルマニウム８を含有することで、ゲルマニウム８に接触している。上記の電流供給装置９から供給された電流は、炭素繊維１２内を流れるように構成されている。さらに、炭素繊維１２内を電流が流れることにより、炭素繊維１２の温度が上昇し、炭素繊維１２に接触するゲルマニウム８が活性化され、その遠赤外効果が高められる。
【００２０】
上記構成を有するプロテクタＰを着用者１０が着用することにより、保護部材７によって着用者１０の身体が保護される。プロテクタＰは、耐衝撃性、防弾性、及び防刃性を有している。ここで、例えば着用者１０によって電流供給装置９の操作部が操作されると、炭素繊維１２に電流が供給され、ゲルマニウム８が活性化される。ゲルマニウム８は、遠赤外効果を有すると共に、保温効果、消臭効果、抗菌効果などを有する。炭素繊維１２への電流の供給により、これらの効果が高められる。
【００２１】
本実施形態のプロテクタＰによれば、保護部材７にゲルマニウム８を含ませているので、この保護部材７を着用者１０の肌に密着させることにより、着用者１０の身体の保護機能のみならず、ゲルマニウム８の遠赤外効果による保温機能が発揮される。さらには、ゲルマニウム８による消臭機能、抗菌機能が発揮される。このように、身体の保護機能に加えて保温、消臭、抗菌といった付加的な機能を備えたプロテクタＰを実現できる。
【００２２】
また、ゲルマニウム８は、保護部材７の炭素繊維１２に接触しているため、炭素繊維１２に電流を流すことにより炭素繊維１２の温度が上昇し、その温度が直接ゲルマニウム８に伝わる。これにより、ゲルマニウム８に強い遠赤外線が発生し、保温効果が高められる。
【００２３】
このようなプロテクタＰは、乗用車またはトラックにおけるドライバや乗員用として好適である。また、二輪車のライダー用としても適しており、一般道路を走る超小型一人乗りミニカーのドライバ用としても適している。また、女性の身体を保護するのにも適している。妊婦用として、腹帯タイプとしてもよい。また、高齢者用として、手足全体を覆う上着、ズボンの形状に成形してもよい。この場合、ヒーターを別途内蔵させたり、保護部材７の厚みを増したりしてもよい。また、テレビアニメのキャラクターの形状を模したプロテクタＰであってもよい。
【００２４】
プロテクタＰは、薄い保護部材７によって成形されているので、プロテクタＰを着用した上からスーツやアウター等を着用することもできる。
【００２５】
本発明のプロテクタは、上記実施形態の他にも種々の変形態様を採ることができる。例えば、図６に示すように、頭部を覆うヘルメット３０や顔面を保護する顔面部保護用プロテクタ３１を備えたプロテクタＰＢとしてもよい。ヘルメット３０および顔面部保護用プロテクタ３１は、図４（ａ）に示した各プロテクタ１〜３と同様の構成とされる。この場合も、プロテクタＰと同様の作用効果が奏される。
【００２６】
また、図７に示すように、既製の帽子と同様の形状の頭部保護用プロテクタ３３を備えたプロテクタＰＣとしてもよい。頭部保護用プロテクタ３３は、図４（ａ）に示した各プロテクタ１〜３と同様の構成とされる。この場合も、プロテクタＰと同様の作用効果が奏される。
【００２７】
また、図８に示すように、首の後ろから挿入されるタイプの首部保護用プロテクタ３４を備えたプロテクタＰＤとしてもよい。首部保護用プロテクタ３４は、図４（ａ）に示した各プロテクタ１〜３と同様の構成とされる。この場合も、プロテクタＰと同様の作用効果が奏される。
【００２８】
また、寒冷地の登山者用のプロテクタとして、リュックサック上に電流供給手段としての太陽電池をシート状に被せ、発電した電力をリチウムバッテリに充電し、蓄電した電力を用いて夜間に身体を温めてもよい。また、ダイバー用のプロテクタとして、電流供給手段としての太陽電池を水面に浮かせ、配線９ａを通じて電流を供給し、水中のダイバーの身体を温めてもよい。
【００２９】
また、上記実施形態では、ゲルマニウム８が炭素繊維１２に含まれる場合について説明したが、ゲルマニウム８は、保護部材７の成形時において、炭素繊維１２上に配置されるように混入されてもよい。
【００３０】
また、上記実施形態では、保護部材７内にゲルマニウム８を含ませた構造のプロテクタＰについて説明したが、図４（ｂ）に示すように、保護部材７の表面にゲルマニウム８が付着された構造のプロテクタＰＡであってもよい。この場合、例えばゲルマニウム８は、保護部材７上に接着される。ゲルマニウム８は、炭素繊維１２に接触するように配置される。
【００３１】
また、上記実施形態では、樹脂１１内に炭素繊維１２を配置した構造の保護部材７について説明したが、図５（ｂ）に示すように、金属製の母材１３上に炭素繊維１４が付着された構造の保護部材７Ａであってもよい。この場合、炭素繊維１４には電流供給装置９が接続されると共に、ゲルマニウム８は、炭素繊維１４に含まれ、又は、炭素繊維１４上に配置される。
【００３２】
また、肌との通気性を上げるために内部に薄手の多孔質のクッション材を取り付けてもよく、保護部材７，７Ａに穴を開けてもよい。また、プロテクタは、インナスーツ４に縫い付けられる場合に限られず、地肌に直接装着してもよい。
【符号の説明】
【００３３】
１…胴部保護用プロテクタ、２…腕部保護用プロテクタ、３…脚部保護用プロテクタ、７，７Ａ…保護部材、８…ゲルマニウム、９…電流供給装置（電流供給手段）、１０…着用者、１２，１４…炭素繊維、３０…ヘルメット（プロテクタ）、３１…顔面部保護用プロテクタ、３３…頭部保護用プロテクタ、３４…首部保護用プロテクタ、Ｐ，ＰＡ〜ＰＤ…プロテクタ。
【図１】
2012177211.tif 000003
【図２】
2012177211.tif 000004
【図３】
2012177211.tif 000005
【図４】
2012177211.tif 000006
【図５】
2012177211.tif 000007
【図６】
2012177211.tif 000008
【図７】
2012177211.tif 000009
【図８】
2012177211.tif 000010